(57)【特許請求の範囲】
【請求項１】
開状態で板面が対向する２枚のダンパ板を備える防火ダンパのダンパ板に取付けるダンパヒューズにおいて、
２つのヒューズ金具を略Ｌ字形に形成し、該Ｌ字形の横片であるフック部どうしの間にダンパ板を狭持可能な狭持間隙を設けた状態で、該Ｌ字形の縦片である基部どうしを所定温度で溶融する感熱材にて内外で重ね合わせて固着した温度ヒューズと、
温度ヒューズのフック部と係合する係合孔を有し、ダンパ板に固定される留め具と、を備えることを特徴とするダンパヒューズ。
【請求項２】
留め具を開状態で板面が対向する一方のダンパ板の対向側の板面に固定した請求項１記載のダンパヒューズ。
【請求項３】
ヒューズ金具のフック部と留め具の係合孔とが、感熱材の溶融温度が異なる温度ヒューズ及び留め具ごとに異なる形状で形成してある請求項１又は請求項２記載のダンパヒューズ。
【請求項４】
留め具の係合孔に係合させるヒューズ金具のフック部にばね弾性を有する係合片を形成した請求項１〜請求項３何れか１項記載のダンパヒューズ。
【請求項５】
筒状本体と、
筒状本体の内部に開状態で板面が筒状本体の筒軸方向に沿って対向するように軸支した２枚のダンパ板と、
２つのヒューズ金具を略Ｌ字形に形成し、該Ｌ字形の横片であるフック部どうしの間にダンパ板を狭持可能な狭持間隙を設けた状態で、該Ｌ字形の縦片である基部どうしを所定温度で溶融する感熱材にて内外で重ね合わせて固着した温度ヒューズと、
該温度ヒューズのフック部と係合する係合孔を有し、開状態で対向する一方のダンパ板の対向側の板面に取付ける留め具と、を備えており、
外側のヒューズ金具のフック部を留め具の係合孔に係合させるとともに、内側のヒューズ金具のフック部を他方のダンパ板の対向裏側の板面に当接させて、双方のダンパ板の開状態を保持してある防火ダンパ。
【請求項６】
ヒューズ金具のフック部と留め具の係合孔とが、感熱材の溶融温度が異なる温度ヒューズ及び留め具ごとに異なる形状で形成してある請求項５記載の防火ダンパ。
【発明の詳細な説明】
【０００１】
【発明の属する技術分野】
本発明は、防火ダンパ用の温度ヒューズに関する。
【０００２】
【従来の技術】
防火ダンパは、ダクト内が防災上の安全性が疑われるような温度に達した際に、それに備えるダンパ板がその内部を閉塞することでダクト内を外気に対して遮断し、建築物の延焼等を防止する、という防災上重要な役割を担っており、関係法令でその設置基準等が規定されている。この防火ダンパで、ダクト内の異常な温度上昇を感知するのが温度ヒューズである。
【０００３】
こうした温度ヒューズの従来技術としては、例えば実開昭６１−１３３０５６号公報や実公平６−１７１２号公報で示すものが知られている。これらの温度ヒューズは、何れも全体形状が略Ｔ字形として構成されており、該Ｔ字形の上片部分によってダクト内の熱感知を行い、該上片部分の略中央にある二脚状の縦片部分によってダンパ板に係合しその開状態を保持するようになっている。そしてこれらの温度ヒューズに共通する利点の一つは、熱感知を行う上片部分の面積が大きいため優れた熱感知性能を発揮できる、ということにある。
【０００４】
【発明が解決しようとする課題】
ところがその反面、これらの温度ヒューズは、熱感知性能を高めるために熱感知を行う上片部分の面積が大きいため、ダンパ板に対する取付状態で防火ダンパ内のダンパ板の左右の通気路に上片部分が大きく突出してしまう。もともと防火ダンパは、圧力損失を阻害するダンパ板を通気路に介在しているため、その分通常使用時における圧力損失が大きい。従って、圧力損失を阻害する他の要因はできるだけ排除すべきであるが、従来の温度ヒューズでは上片部分の面積が大きく、左右の通気路に大きく突出するため、これが圧力損失を阻害する要因として依然残っていた。
【０００５】
また、防火ダンパは、ダクトの室内側端末が厨房等の火気使用室に通じているか否か等に応じて使用する温度ヒューズの溶融温度が関係法令等で規定されている。そのため、例えばダクトの室内側端末が湯沸室、厨房等の火気使用室に通じていて排気温度が７２℃を超える場合には溶融温度が約１２０℃である温度ヒューズを、また室内側端末がそれ以外の室内に通じている場合には溶融温度が約７２℃である温度ヒューズを使用するようになっている。しかしながら、生産効率とコスト上の理由から溶融温度が異なる温度ヒューズであっても同じ外観形状としてある場合には、各温度ヒューズに付けられた刻印で溶融温度の違いを区別するのが通例であるため、暗所での作業が多い温度ヒューズの取付時に作業者が刻印を見間違えてしまい、溶融温度の異なる温度ヒューズを防火ダンパに取付けてしまう可能性がある。
【０００６】
以上のような従来技術を背景になされたのが本発明である。即ち、その目的は、防火ダンパの通気路への突出部分が少ないダンパヒューズと防火ダンパを提供することにある。また、本発明は、溶融温度が異なる温度ヒューズどうしを確実に区別できるようにすることも目的としている。
【０００７】
【課題を解決するための手段】
そこで、これらの目的を達成すべく、本発明は、開状態で板面が対向する２枚のダンパ板を備える防火ダンパのダンパ板に取付けるダンパヒューズについて、２つのヒューズ金具を略Ｌ字形に形成し、略Ｌ字形の横片であるフック部どうしの間に防火ダンパのダンパ板を狭持可能な狭持間隙を設けた状態で、略Ｌ字形の縦片である基部どうしを感熱材によって内外で重ね合わせて固着した温度ヒューズと、温度ヒューズのフック部と係合する係合孔を有し、ダンパ板に固定される留め具と、を備えることを特徴としている。
【０００８】
本発明のダンパヒューズを構成する温度ヒューズは、２つのヒューズ金具が略Ｌ字形に形成されており、略Ｌ字形の横片であるフック部どうしの間に形成したダンパ板を狭持可能な狭持間隙でダンパ板の開状態を保持するという温度ヒューズの基本機能を満足しつつ、略Ｌ字形の縦片である基部どうしを感熱材によって内外で重ね合わせて固着したため、ダンパ板に取付けた状態で防火ダンパ内部の通気路に突出するのは、実質的に１つのヒューズ金具の大きさ分だけである。従って、従来の温度ヒューズよりも通常使用時における通気性能を向上することができる。また、本発明のダンパヒューズは、温度ヒューズのフック部と係合する係合孔を有し、ダンパ板に固定される留め具を備える。このため、感熱材が溶融してダンパ板が閉塞作動しても、ヒューズ金具はフック部が係合孔と係合したままで飛散しない。従って、飛散したヒューズ金具がダンパ板の完全な閉塞を損ねることもない。
【０００９】
前記本発明のダンパヒューズは、留め具を開状態で板面が対向する一方のダンパ板の対向側の板面に固定したものとして構成される。これによれば、留め具はもともと通気に寄与しない対向するダンパ板どうしの間に取付けてあるため、留め具が圧力損失の阻害要素にならない。また、前記本発明のダンパヒューズは、ヒューズ金具のフック部と留め具の係合孔とが、感熱材の溶融温度が異なる温度ヒューズ及び留め具ごとに異なる形状で形成したものとして構成される。これによれば、例えば溶融温度が７２℃の温度ヒューズのフック部を、溶融温度が１２０℃の温度ヒューズに対応する留め具の係合孔に係合させようとしても、形状が適合しないため物理的に係合不能となる。従って、温度ヒューズの誤使用を確実に防止することができる。なお、上記「異なる形状」とは、感熱材の溶融温度が異なる温度ヒューズ及び留め具ごとに、フック部と係合孔の形状を異ならせるようにする場合や、或いはフック部と係合孔の形状自体は同じであっても温度ヒューズ及び留め具ごとに形状の大小を異ならせるようにする場合の双方が含まれる趣旨である。さらに、前記本発明のダンパヒューズは、留め具の係合孔に係合させるヒューズ金具のフック部にばね弾性を有する係合片を形成したものとして構成される。これによれば、係合片のばね弾性を超える力が作用しなければ係合孔から外れないので、ダンパー板が閉塞作動してもヒューズ金具が外れにくい。
【００１０】
さらに、本発明は、筒状本体と、この筒状本体の内部に開状態で板面が筒状本体の筒軸方向に沿って対向するように軸支した２枚のダンパ板と、２つのヒューズ金具を略Ｌ字形に形成し、該Ｌ字形の横片であるフック部どうしの間にダンパ板を狭持可能な狭持間隙を設けた状態で、該Ｌ字形の縦片である基部どうしを所定温度で溶融する感熱材にて内外で重ね合わせて固着した温度ヒューズと、該温度ヒューズのフック部と係合する係合孔を有し、開状態で対向する一方のダンパ板の対向側の板面に取付ける留め具と、を備えており、外側のヒューズ金具のフック部を留め具の係合孔に係合させるとともに、内側のヒューズ金具のフック部を他方のダンパ板の対向裏側の板面に当接させて、双方のダンパ板の開状態を保持してある防火ダンパを提供する。
【００１１】
単に温度ヒューズをダンパ板に当接させただけであると、温度ヒューズの感熱材が溶融した際に、ヒューズ金具がダンパ板の閉塞作動を受けて飛散して、閉塞しかけているダンパ板と筒状本体の内壁との間に挟まってしまうことがある。しかしながら、本発明の防火ダンパによれば、留め具を開状態で対向する一方のダンパ板の対向側の板面に取付け、この留め具の係合孔に対して温度ヒューズを成す外側のヒューズ金具のフック部を係合したので、温度ヒューズの感熱材が溶融して該ダンパ板が閉塞作動しても、該外側のヒューズ金具は留め具の係合孔に係合したままで飛散することはない。従って、該ダンパ板の閉塞作動を受けて飛散した該外側のヒューズ金具が、該ダンパ板と筒状本体との間に挟まってしまい通気路を完全に閉塞できなくなるような不具合を防止することができる。また、留め具は、開状態で対向する一方のダンパ板の対向側の板面に、つまりもともと通気に寄与しない部分に取付けてあるため、留め具を一方のダンパ板に取付けることで圧力損失が阻害されることはない。さらに、この防火ダンパでは、開状態で対向する他方のダンパ板の対向裏側の板面に対して内側のヒューズ金具のフック部を当接させて、ダンパ板の開状態を保持する。このため、開状態の双方のダンパ板を対向裏側の板面から２枚とも狭持するような温度ヒューズを用いる場合と比較して、フック部の狭持間隔を短くすることができる。従って、狭持間隔が短くて済む分、感熱材による２つのヒューズ金具の固着面積を拡大できるので、熱感知性能を向上できると共に、コイルスプリング等の付勢手段によって閉塞方向へ常時付勢され続けている開状態のダンパ板に対する保持力も高めることができる。
【００１２】
前記本発明の防火ダンパについては、ヒューズ金具のフック部と留め具の係合孔とが、感熱材の溶融温度が異なる温度ヒューズ及び留め具ごとに異なる形状で形成したものとして構成される。これによれば、溶融温度が異なればフック部と係合孔とが形状的に合致せず物理的に係合不能であるため、誤った温度ヒューズの使用を確実に防止できる。なお「異なる形状」とは、前記本発明によるダンパヒューズにおけるのと同じ趣旨である。
【００１３】
【発明の実施の形態】
以下、本発明の実施の形態について図面を参照しつつ詳細に説明する。
【００１４】
本実施形態による温度ヒューズ１の構成；  図１及び図２で示すように、この実施形態の温度ヒューズ１は、内外で重ね合わせた２つの相対形状のヒューズ金具２，３を、溶融温度が摂氏１２０℃である“感熱材”としてのはんだ４によって固着して形成されている。各ヒューズ金具２，３には、略Ｌ字形の縦片部分に相当する基部２ａ，３ａと、略Ｌ字形の横片部分に相当するフック部２ｂ，３ｂとが形成されている。
【００１５】
内側のヒューズ金具２の基部２ａは、外側のヒューズ金具３の基部３ａに重なり合ってちょうど納まるように、外側のヒューズ金具３の基部３ａの内側面に相応する形状として若干短めに形成されている。この基部２ａから曲折してなるフック部２ｂには、２つの当接部２ｃが形成されていて、図２で示すようにここが開状態となっている防火ダンパ５のダンパ板６と点接触で係合するようになっている。また、ヒューズ金具２には、基部２ａからフック部２ｂにかけて補強用に膨出部２ｄと側壁２ｅが形成されている。
【００１６】
外側のヒューズ金具３の基部３ａから曲折してなるフック部３ｂには、部分的にその先端を「へ」字状に折返してなる係合片３ｃが形成されている。この係合片３ｃにはばね弾性が付与されていて、ダンパ板７に取付けた留め具８の係合孔８ａと係合する際に（図３参照）、その孔縁と押接して若干圧縮方向へ撓んだ状態で係入し、係入し終えると復元して係合孔８ａと完全係合するようになっている。そして、フック部３ｂは、係合孔８ａと殆ど隙間無く係合するように、その幅ｗ１が係合孔８ａの幅ｗ２よりも僅かに短いサイズとして形成されている。また、ヒューズ金具３には、基部３ａからフック部３ｂにかけて補強用に膨出部３ｄと側壁３ｅが形成されている。
【００１７】
以上のような構成とした内側のヒューズ金具２と外側のヒューズ金具３とは、各フック部２ａ，３ａの間にダンパ板６を狭持可能な狭持間隙ｄを設けた状態で、はんだ４によって一体に固着されている。
【００１８】
防火ダンパ５の構成；  上記構成の温度ヒューズ１を取付ける防火ダンパ５は、図４で示すような所謂バタフライダンパで、筒状本体９の内部に図示せぬ支持軸を介して回転可能に一軸支持される半円状の２枚のダンパ板６，７を備えており、これらのダンパ板６，７は付勢手段としてのコイルスプリング１０によって常に閉塞方向Ｄｃへ付勢されている。図４ではダンパ板６，７の開状態を示してあるが、この開状態でダンパ板６と対向するダンパ板７の対向側の板面７ａには、ダンパ板７に固定される固定部８ｂと、固定部８ｂから直角に曲折された係合部８ｃが形成されている留め具８を取付けてある。この留め具８と温度ヒューズ１とで本発明に係るダンパーヒューズが構成される。
【００１９】
温度ヒューズ１等の作用・効果；  本例の温度ヒューズ１によれば、２つのヒューズ金具２，３のフック部２ｂ，３ｂどうしの間に形成されるダンパ板６を狭持可能な狭持間隙ｄにおいて、ダンパ板６の開状態を保持するという温度ヒューズ１の基本機能を満足しつつ、基部２ａ，３ａどうしをはんだ４によって内外で重ね合わせて固着したため、ダンパ板６，７に取付けた状態で防火ダンパ５内部の通気路に突出するのは、実質的に外側のヒューズ金具３の大きさ分だけである。従って、従来の温度ヒューズよりも通常使用時における通気性能を向上することができる。また、外側のヒューズ金具３のフック部３ｂの先端に、ばね弾性をもつ係合片３ｃを形成したため、図２で示す係合状態から温度ヒューズ１を留め具８から引抜こうとしても、係合片３ｃが係合孔８ａの孔縁に引掛かって簡単に外れてしまうようなことはない。
【００２０】
また、本例の温度ヒューズ１と留め具８によれば、フック部３ｂの幅ｗ１と係合孔８ａの幅ｗ２とが相応するサイズで形成されているため、図１に二点鎖線で示すような例えばはんだの溶融温度が７２℃である他の温度ヒューズ１′のフック部３ｂ′を留め具８の係合孔８ａに係入させようとしても、フック部３ｂ′の幅ｗ３は係合孔８ａの幅ｗ２よりも大きいため物理的に係合不能である。このように、はんだの溶融温度が１２０℃である温度ヒューズ１と、溶融温度が７２℃である温度ヒューズ１とは形状自体は同一であるが、溶融温度の違いに応じてフック部３ｂ，３ｂ′の幅ｗ１，ｗ３に違いを持たせ、留め具８の係合孔８ａもフック部３ｂ，３ｂ′の幅ｗ１，ｗ３に相応する形状（幅）としてあるので、温度ヒューズ１，１′の誤使用を確実に防止することができる。
【００２１】
本例の防火ダンパ５では、開状態で対向するダンパ板６，７のうちのダンパ板７の対向側の板面７ａに留め具８を取付け、その係合孔８ａに対して外側のヒューズ金具３のフック部３ｂと係合させている。従って、はんだ４が溶融してダンパ板６，７がコイルスプリング１０の付勢を受けて閉塞作動しても、外側のヒューズ金具３はダンパ板７に取付けた留め具８に係合したままであり飛散しないので、飛散したヒューズ金具３がダンパ板６，７と筒状本体９の内壁との間に挟まってしまって、ダンパ板６，７が完全に閉塞できなくなるような事態を防止できる。また、留め具８は、開状態で元々通気に寄与しないダンパ板６，７の間に位置しているから、ダンパ板７に取付けた留め具８によって防火ダンパ５の圧力損失が阻害されることもない。
【００２２】
そして、上記防火ダンパ５については、留め具８をダンパ板７の板面７ａに取付けてここに外側のヒューズ金具３のフック部３ｂを係合させると共に、ダンパ板８の対向裏側の板面６ａに対して内側のヒューズ金具２のフック部２ｂの当接部２ｃを点接触により係合させている。そのため、例えばダンパ板６，７をそれぞれの対向裏側の板面から２枚とも温度ヒューズで狭持させるような場合と比較して、フック部２ｂ，３ｂどうしの狭持間隙ｄを短くすることができる。従って、狭持間隙ｄが短くて済む分、はんだ４によるヒューズ金具２，３の固着面積を大きくできるので、熱感知性能を向上できると共にコイルスプリング１０によって閉塞方向Ｄｃへ常時付勢され続けているダンパ板６，７の保持力を高めることができる。
【００２３】
実施形態の変形例；  はんだの溶融温度の異なる温度ヒューズの誤使用防止手段としては、上記実施形態の他にも、例えば図５で示すように、はんだの溶融温度が異なる温度ヒューズどうしで、フック部１１，１２及び留め具１３，１４の係合孔１３ａ，１４ａの形状を相互に異ならせるようにしてもよい。
【００２４】
【発明の効果】
本発明のダンパーヒューズによれば、温度ヒューズを構成する２つのヒューズ金具が略Ｌ字形に形成されていて、略Ｌ字形の横片であるフック部どうしの間に形成したダンパ板を狭持可能な狭持間隙でダンパ板の開状態を保持するという温度ヒューズの基本機能を満足しつつ、略Ｌ字形の縦片である基部どうしを感熱材によって内外で重ね合わせて固着したため、ダンパ板に取付けた状態で防火ダンパ内部の通気路に突出するのは、実質的に１つのヒューズ金具の大きさ分だけである。従って、従来の温度ヒューズよりも通常使用時における通気性能を向上することができる。また、温度ヒューズのフック部と係合する係合孔を有し、ダンパ板に固定される留め具を備えるため、感熱材が溶融してダンパ板が閉塞作動しても、ヒューズ金具はフック部が係合孔と係合したままで飛散しない。従って、飛散したヒューズ金具がダンパ板の完全な閉塞を損ねることもない。
【００２５】
また、留め具を開状態で板面が対向する一方のダンパ板の対向側の板面に固定し、もともと通気に寄与しない対向するダンパ板どうしの間に取付けたため、留め具が圧力損失の阻害要素にならない。さらに、温度ヒューズのフック部と留め具の係合孔を、感熱材の溶融温度が異なる温度ヒューズ及び留め具ごとに異なる形状で形成したので、温度ヒューズの誤使用を確実に防止することができる。そして、留め具の係合孔に係合させるヒューズ金具のフック部にばね弾性を有する係合片を形成したので、係合片のばね弾性を超える力が作用しなければ係合孔から外れないので、ダンパ板が閉塞作動してもヒューズ金具が外れにくい。
【００２６】
本発明の防火ダンパによれば、留め具を開状態で対向する一方のダンパ板の対向側の板面に取付け、その係合孔に外側のヒューズ金具のフック部を係合するので、温度ヒューズの感熱材が溶融して該ダンパ板が閉塞作動しても、該外側のヒューズ金具は留め具の係合孔に係合したままで飛散しない。従って、飛散した外側のヒューズ金具がダンパ板と筒状本体との間に挟まって通気路を完全に閉塞できなくなる不具合を防止できる。また、留め具は、前記開状態で対向する一方のダンパ板の対向側の板面に、つまりもともと通気に寄与しない部分に取付けてあるため、留め具を一方のダンパ板に取付けることで圧力損失が阻害されることはない。さらに、温度ヒューズのフック部と留め具の係合孔を、感熱材の溶融温度が異なる温度ヒューズ及び留め具ごとに異なる形状で形成したので、温度ヒューズの誤使用を確実に防止することができる。
【図面の簡単な説明】
【図１】本発明の一実施形態による温度ヒューズの外観斜視図。
【図２】図１の温度ヒューズとダンパ板との係合状態を示す図４のＳＡ−ＳＡ線断面図。
【図３】ダンパ板と留め具との取付状態を示す外観斜視図。
【図４】本発明の一実施形態による防火ダンパの外観斜視図。
【図５】他の実施形態による温度ヒューズと留め具との係合状態を示す図２のＳＢ−ＳＢ線相当から見た平面視断面図。
【符号の説明】
１，１′    温度ヒューズ
２      ヒューズ金具（内側）
２ａ    基部
２ｂ    フック部
３      ヒューズ金具（外側）
３ａ    基部
３ｂ，３ｂ′  フック部
３ｃ    係合片
４      はんだ（感熱材）
５      防火ダンパ
６      ダンパ板
７      ダンパ板
８      留め具
８ａ    係合孔
９      筒状本体
１１      フック部
１２      フック部
１３      留め具
１３ａ    係合孔
１４      留め具
１４ａ    係合孔
ｄ      狭持間隙
【図１】
0003608653.tif 000002
【図２】
0003608653.tif 000003
【図３】
0003608653.tif 000004
【図４】
0003608653.tif 000005
【図５】
0003608653.tif 000006